(57)【要約】      （修正有）【課題】文章の変更が容易に行えるエレベーターの案内装置を提供する。【解決手段】利用客に対して音声を利用して案内放送を行う案内放送装置と、火災管制運転装置および地震管制運転装置の少なくとも一方の管制運転装置とを備えたエレベーターの案内装置において、案内放送に必要な文章を複数の文言に分割したものとして格納しておく文言格納装置４と、文言格納装置４の複数の文言を組み合わせて１つの放送文章に生成する放送文章作成装置３と、各階床の避難経路の障害の有無状況を検出する障害検出器とを備え、前記管制運転機能が作動してかごが任意階に停止したとき、かごの停止階情報および当該階床の避難経路の障害有無情報とに基づいて文言格納装置４から複数の文言を選択して組み合わせ放送文章を作成し、案内放送を行うことを特徴とする。【選択図】図１
2008024426.tif 000002
【特許請求の範囲】
【請求項１】
利用客に対して音声を利用して案内放送を行う案内放送装置と、火災管制運転機能および地震管制運転機能の少なくとも一方の管制運転機能とを備えたエレベーターの案内装置において、案内放送に必要な文書を複数の文言に分割したものとして格納しておく文言格納装置と、文言格納装置の複数の文言を組み合わせ１つの放送文書を生成する放送文書作成装置と、各階床の避難経路の障害状況を検出する障害検出部とを備え、前記管制運転機能が作動してかごが任意階に停止したとき、少なくともエレベーターかごの停止階情報および当該階床の避難経路の障害有無情報とに基づいて文言格納装置から複数の文言を選択して組合わせ放送文章を作成し、案内放送を行うことを特徴とするエレベーターの案内装置。
【発明の詳細な説明】
【技術分野】
【０００１】
本発明は、エレベーターの案内装置に係り、特に音声合成装置を使用したエレベーターの案内装置に関する。
【背景技術】
【０００２】
従来のエレベーターの案内装置は、エレベーターの異常内容検出装置が検出する異常及び避難階に基づいて、非避難経路案内と運転案内を含む案内メッセージを格納する格納装置から対応する案内メッセージを選択して案内放送を行っていた（特許文献１の参照）
【特許文献１】特開平４−１５９９９０号公報
【発明の開示】
【発明が解決しようとする課題】
【０００３】
上記エレベーターの案内装置は、１回に放送する文書の全体を１つの単位として記憶しているため、文書の中の一部を変更する場合は、放送する文書を作成する必要があり、手間が掛かるものであった。
【０００４】
本発明の目的は、放送する文書の変更が容易に行えるエレベーターの案内装置を提供することにある。
【課題を解決するための手段】
【０００５】
前記目的を達成するために、本発明は、利用客に対して音声を利用して案内放送を行う案内放送装置と、火炎管制運転機能および地震管制運転の少なくとも一方の管制運転機能とを備えたエレベーターの案内装置において、案内装置に必要な文章を複数の文言に分割したものとして格納しておく文言格納部と、文言格納部の文言を組み合わせて１つの放送文書を生成する放送文書作成装置と、各階床の避難経路の状況を検出する状況検出装置とを備え、前記管制運転機能が作動してかごが任意階に停止したとき、少なくともエレベーターかごの停止階情報および当該階床の避難経路の状況情報とに基づいて文言格納部から複数の文言を選択して組み合わせ放送文書を作成し、案内放送を行うことを特徴とする。
【発明の効果】
【０００６】
このように複数の文言を組み合わせて放送する文書を作成するようにしたので、放送する文書を変更するときは、文言を選択して組み合わせるだけでよい。
【発明を実施するための最良の形態】
【０００７】
以下、本発明を火災管制運転の案内放送に適用した一実施形態を図面を参照して説明する。
【０００８】
図１は、エレベーターの案内装置の一例を示すブロック図を示し、エレベーターの制御装置１には、地震感知器が所定震度以上の振動を検出したとき作動する地震管制運転装置１Ａ、火炎報知器が動作したとき作動する火炎管制運転装置１Ｂ、１〜Ｎ階の停止階床検出器１Ｃ１〜１Ｃｎを備えている。避難経路障害検出器２は各階床の避難用出口７の近傍に設置されたカメラで構成され、各避難用出口７の近傍の現在の映像と障害物のない映像とを比較して障害物の有無を判定し、障害物の有の場合、信号を発する。文書作成装置３は、火炎管制運転装置１Ｂの作動信号が出力された場合、停止階床検出器１Ｃ１〜１Ｃｎからのエレベーターかごの停止階の情報と当該停止階の避難経路障害検出器２からの障害の有無の情報に基づいて、複数の文言を格納した文言格納装置４から文言を選択して組み合わせ、当該階床で放送する文章を作成する。文言格納装置４は、たとえば図４に示すように、方法に必要な文章を単語または文節単位に区分したもの（文言と称する）として格納している。音声合成装置５は、文章作成装置３で文章をかご９内のスピーカー６が流すためのものである。なお、符号８は他の出口、９Ａはかご９の出入口である。
【０００９】
次に火災が起こった場合について説明する。
【００１０】
火災報知器が作動すると火災管制運転装置が作動するとともに、作動信号が出力それ、文章作成装置３において、停止階床の情報と当該停止階床における避難経路障害検出器２からの障害物の有無の情報にを取り込み、これらに基づいて放送用文章の作成が行われる。今、避難階の１階に停止し、１階の避難経路に障害物が無い場合には、文言１、文言２、文言３、文言４、文言６、文言１１、文言１２が選択されて組み合わせられ、「火災が」「発生しました」「エレベーターから降りて」「右に」「直進し」「出口から建物の外へ」「避難して下さい」という放送文章が作成され、音声合成装置５によりスピーカー６から案内放送が行なわれる。また、１階の避難経路に障害物が有った場合には、文言１、文言２、文言３、文言５、文言６、文言７、文言８、文言１０、文言１１、文言１２が選択させて組み合わせられ、「火災が」「発生しました」「エレベーターから降りて」「左に」「直進し」「突き当たりを」「左に」「曲がり」「出口から建物の外へ」「避難して下さい」という放送文章が作成され、音声合成装置５によりスピーカー６から案内放送が行なわれる。
【００１１】
このように、放送用の文章を複数の文言として格納したものを組み合わせて使用することで、災害時の避難経路を柔軟且つ的確にエレベーターの乗客に案内放送を行うことで、迅速な避難を可能にする。また、上述した一実施形態に係らず、放送内容を再設定する場合においても、必要となる文言が文言格納装置に格納済みであれば、案内放送作成テーブルを変更することだけで容易に放送内容を変更することが可能となる。
【図面の簡単な説明】
【００１２】
【図１】本発明に係るエレベーターの案内装置の一例を示すブロック図である。
【図２】本発明に係る避難経路の一例を示す平面図である。
【図３】文章作成部の案内放送作成テーブルを示す表である。
【図４】図３の文章作成テーブルの文言の一覧表を示す表である。
【符号の説明】
【００１３】
１    エレベーター制御装置
１Ａ  地震管制運転装置
１Ｂ  火災管制運転装置
１Ｃ  停止階検出部
２    避難経路障害検出部
３    文章作成装置
４    文言格納装置
５    乗りかご側プーリビーム
５    音声合成装置
６    スピーカー
７    避難用出口
８    他の出口
９    かご
【図１】
2008024426.tif 000003
【図２】
2008024426.tif 000004
【図３】
2008024426.tif 000005
【図４】
2008024426.tif 000006